(57)【特許請求の範囲】
【請求項１】
板状の導電部材が直角に屈曲されてなる屈曲板状端子が保持される端子保持部を有してなる端子保護カバーにおいて、
前記端子保持部は、
当該端子保護カバーの前記屈曲板状端子を取り付ける側の面に立設され、保持された前記屈曲板状端子の各側端縁面に向かい合う面を含む一対の横方向ガタツキ防止壁部と、
前記一対の横方向ガタツキ防止壁部の立設方向先端部の間を橋渡す壁であり、保持された前記屈曲板状端子の先端側屈曲部の内面に向かい合う第一端縁面を含む第一縦方向ガタツキ防止壁部と、
前記第一縦方向ガタツキ防止壁部に対して上側位置で、一方の前記横方向ガタツキ防止壁部の立設方向先端部から他方の前記横方向ガタツキ防止壁部の立設方向先端部に向けて突出され、保持された前記屈曲板状端子の前記先端側屈曲部の外面に向かい合い、かつ、前記先端側屈曲部を間にして前記第一端縁面に向かい合う第二端縁面を含む一対の突出壁を有してなる第二縦方向ガタツキ防止壁部と、
を有してなり、
前記一対の突出壁は、
前記横方向ガタツキ防止壁部の立設方向先端縁面と同じ側の面が、前記第二端縁面から前記第二端縁面の上側の上端縁面にいたる途中の位置まで、あるいは前記第二端縁面から前記上端縁面まで、前記立設方向先端縁面に対して凹むように突出方向に向かって漸次厚みが減少されるように傾斜された面である
ことを特徴とする端子保護カバー。
【請求項２】
前記端子保持部は、
対となる前記突出壁の間に前記立設方向先端縁面より凹むように前記取り付ける側の面に立設され、かつ保持された前記屈曲板状端子の前記先端側屈曲部の外面に向かい合う第三端縁面を含む第三縦方向ガタツキ防止壁部
をさらに有してなることを特徴とする請求項１に記載の端子保護カバー。
【請求項３】
前記端子保持部は、
前記屈曲板状端子が取り付けられる場合、前記屈曲板状端子を取り付け完了位置までガイドする取り付けガイド壁部をさらに有してなる
ことを特徴とする請求項１または２に記載の端子保護カバー。
【請求項４】
箱外面に屈曲板状端子を有してなる端子付き電線が取り付けられる電気接続箱において、
請求項１−３に記載の前記端子保護カバーが前記屈曲板状端子を保護するカバーとして組み込まれてなることを特徴とする電気接続箱。
【発明の詳細な説明】
【技術分野】
【０００１】
本発明は、板状の導電部材が直角に屈曲されてなる屈曲板状端子が保持される端子保持部を有してなる端子保護カバー、およびこの端子保護カバーを組み込んだ電気接続箱に関する。
【背景技術】
【０００２】
従来、車両等に搭載される電気接続箱には、箱外面に端子付き電線が取り付けられるようになっており、この端子付き電線は、端子が端子保護カバーによって保護されるようになっている。例えば、特許文献１には端子が容易に取り付けられるようにした端子保護カバーが提案されている。
【０００３】
特許文献１に記載された端子保護カバーは、基板部に対向して端子押さえ板を配設して、該端子押え板と該基板部との間に端子挿通隙間を形成し、該端子押え板とを直交する方向に端子載置壁を配設して、直角に折曲した板状の端子を該端子挿通隙間に差し込み、且つ端子載置壁側に回動させて組み付けるようになっている。
【０００４】
このように、端子が回動されて取り付けられる端子保護カバーとして、本発明の出願人は、図１５に示す端子保護カバー７００を提案している。この端子保護カバー７００は、板状の導電部材が直角に屈曲されてなる屈曲板状端子８００が保持される端子保持部７１０を有してなる。この端子保持部７１０は、屈曲板状端子８００を取り付ける側の面７００ａに向かい合うようにして設けられた壁７１１に開口７１１ａが形成され、この開口７１１ａに屈曲板状端子８００が回動されながら挿通されることによって屈曲板状端子８００が保持されるようになっている。このようにして、端子保持部７１０によって端子保護カバー７００に保持された屈曲板状端子８００は、開口７１１ａの内縁面７１２によって縦横方向のガタツキが防止されるようになっている。
【先行技術文献】
【特許文献】
【０００５】
【特許文献１】特許第３３６４８７２号公報
【発明の概要】
【発明が解決しようとする課題】
【０００６】
しかしながら、上述した端子保護カバー７００は、屈曲板状端子８００を回動して開口７１１ａに挿通させる際、図１６に示すように、開口７１１ａの上縁面７１２ａが屈曲板状端子８００に干渉しないように上下方向の開口幅Ｔを設定する必要があり、結果的に屈曲板状端子８００と開口７１１ａとの間の隙間Ｃによって、屈曲板状端子８００がガタついてしてしまうという問題があった。
【０００７】
本発明は、上記に鑑みてなされたものであって、屈曲板状端子が容易に取り付け可能であり、かつ屈曲板状端子のガタツキを防止することができる端子保護カバーおよび電気接続箱を提供することを目的とする。
【課題を解決するための手段】
【０００８】
上述した課題を解決し、目的を達成するために、本発明の請求項１に係る端子保護カバーは、板状の導電部材が直角に屈曲されてなる屈曲板状端子が保持される端子保持部を有してなる端子保護カバーにおいて、前記端子保持部は、当該端子保護カバーの前記屈曲板状端子を取り付ける側の面に立設され、保持された前記屈曲板状端子の各側端縁面に向かい合う面を含む一対の横方向ガタツキ防止壁部と、前記一対の横方向ガタツキ防止壁部の立設方向先端部の間を橋渡す壁であり、保持された前記屈曲板状端子の先端側屈曲部の内面に向かい合う第一端縁面を含む第一縦方向ガタツキ防止壁部と、前記第一縦方向ガタツキ防止壁部に対して上側位置で、一方の前記横方向ガタツキ防止壁部の立設方向先端部から他方の前記横方向ガタツキ防止壁部の立設方向先端部に向けて突出され、保持された前記屈曲板状端子の先端側屈曲部の外面に向かい合い、かつ、前記先端側屈曲部を間にして前記第一端縁面に向かい合う第二端縁面を含む一対の突出壁を有してなる第二縦方向ガタツキ防止壁部と、を有してなり、前記一対の突出壁は、前記横方向ガタツキ防止壁部の立設方向先端縁面と同じ側の面が、前記第二端縁面から前記第二端縁面の上側の上端縁面にいたる途中の位置まで、あるいは前記第二端縁面から前記上端縁面まで、前記立設方向先端縁面に対して凹むように突出方向に向かって漸次厚みが減少されるように傾斜された面であることを特徴とする。
【００１０】
また、本発明の請求項２に係る端子保護カバーは、上記の発明において、前記端子保持部は、対となる前記突出壁の間に前記立設方向先端縁面より凹むように前記取り付ける側の面に立設され、かつ保持された前記屈曲板状端子の前記先端側屈曲部の外面に向かい合う第三端縁面を含む第三縦方向ガタツキ防止壁部をさらに有してなることを特徴とする。
【００１１】
また、本発明の請求項３に係る端子保護カバーは、上記の発明において、前記端子保持部は、前記屈曲板状端子が取り付けられる場合、前記屈曲板状端子を取り付け完了位置までガイドする取り付けガイド壁部をさらに有してなることを特徴とする。
【００１２】
上述した課題を解決し、目的を達成するために、本発明の請求項４に係る電気接続箱は、箱外面に屈曲板状端子を有してなる端子付き電線が取り付けられる電気接続箱において、請求項１−３に記載の前記端子保護カバーが前記屈曲板状端子を保護するカバーとして組み込まれてなることを特徴とする。
【発明の効果】
【００１３】
本発明の請求項１に係る端子保護カバーは、前記屈曲板状端子が前記第一縦方向ガタツキ防止壁部、前記第二縦方向ガタツキ防止壁部、前記一対の横方向ガタツキ防止壁部によって囲われた位置に前記先端側屈曲部が配置されるようにして取り付けられ、しかも前記第二縦方向ガタツキ防止壁部の立設方向先端縁面と同じ側の面が、立設方向先端縁面に対して凹むように形成されているので、前記屈曲板状端子が取り付けられる際、前記第二縦方向ガタツキ防止壁部が干渉しないように、前記第二端縁面と第一端縁面との間隔をできるだけ小さく設定することができるので、屈曲板状端子が容易に取り付け可能であり、かつ屈曲板状端子のガタツキを防止することができる。
また、本発明の請求項１に係る端子保護カバーは、前記第二縦方向ガタツキ防止壁部が一対の突出壁である場合、各突出壁の前記立設方向先端縁面と同じ側の面が、突出方向に向かって漸次厚みが減少されるように傾斜された面であるので、前記屈曲板状端子の先端部分が円弧状である場合、各突出壁が横断面積をできるだけ大きく設定できるので、前記各突出壁の強度を増すことができるとともに、前記屈曲板状端子の先端側屈曲部の外面に向かい合う前記第二端縁面が大きく設定されることによって、屈曲板状端子のガタツキ防止効果を高めることができる。
【００１５】
本発明の請求項２に係る端子保護カバーは、対となる前記突出壁の間に前記屈曲板状端
子に干渉しないように設けられた前記第三縦方向ガタツキ防止壁部によって、前記屈曲板
状端子のガタツキ防止効果をさらに高めることができる。
【００１６】
本発明の請求項３に係る端子保護カバーは、前記取り付けガイド壁部によって、前記屈
曲板状端子を取り付け完了位置までガイドすることができるので、前記屈曲板状端子を容
易に取り付けることができる。
【００１７】
本発明の請求項４に係る電気接続箱は、上述の端子保護カバーによって前記屈曲板状端
子が保護されるので、屈曲板状端子が容易に取り付け可能であり、かつ屈曲板状端子のガ
タツキを防止することができる。
【図面の簡単な説明】
【００１８】
【図１】図１は、本発明の実施例に係る端子保護カバーおよび電気接続箱の斜視図である。
【図２】図２は、図１に示した端子保護カバーを取り付ける側の面から視た図である。
【図３】図３は、図１に示した端子保護カバーを取り付ける側の面から視た斜視図である。
【図４】図４は、図３に示した端子保護カバーの端子保持部周辺を拡大した図である。
【図５】図５は、図１に示した端子保護カバーの拡大した端子保持部周辺を上方から視た図である。
【図６】図６は、図１に示した端子保護カバーを左側面から視た図である。
【図７】図７は、図３に示した端子保護カバーに端子付き電線がセットされた状態を示した図である。
【図８】図８は、端子保護カバーに屈曲板状端子を取り付ける手順を示した図である。
【図９】図９は、端子保護カバーに屈曲板状端子を取り付ける手順を示した図である。
【図１０】図１０は、本発明の実施例の変形例１の端子保護カバーの端子保持部周辺を拡大した斜視図である。
【図１１】図１１は、本発明の実施例の変形例２の端子保護カバーの端子保持部周辺を拡大した斜視図である。
【図１２】図１２は、本発明の実施例の変形例３の端子保護カバーの端子保持部周辺を拡大した斜視図である。
【図１３】図１３は、本発明の実施例の変形例４の端子保護カバーの端子保持部周辺を拡大した斜視図である。
【図１４】図１４は、本発明の実施例の変形例５の端子保護カバーの端子保持部周辺を拡大した斜視図である。
【図１５】図１５は、屈曲板状端子が回動されて取り付けられる端子保護カバーの一例を示した図である。
【図１６】図１６は、図１５に示した端子保護カバーに屈曲板状端子が取り付けられる様子を示した図である。
【発明を実施するための形態】
【００１９】
以下、図面を参照して、本発明に係る端子保護カバーおよび電気接続箱の実施の形態について詳細に説明する。
【実施例】
【００２０】
図１は、本発明の実施例に係る端子保護カバー１、および電気接続箱１００の斜視図である。
なお、図１は、アッパーカバー１２０を透視してその内部が見えるように図示している。
図２は、図１に示した端子保護カバー１を取り付ける側の面１１から視た図である。図３は、図１に示した端子保護カバー１を取り付ける側の面１１から視た斜視図である。図４は、図３に示した端子保護カバー１の端子保持部２０周辺を拡大した図である。図５は、図１に示した端子保護カバー１の拡大した端子保持部２０周辺を上方から視た図である。図６は、図１に示した端子保護カバー１を左側面から視た図である。図７は、図３に示した端子保護カバー１に端子付き電線１４０がセットされた状態を示した図である。
なお、便宜上、図中矢印に示すように前後、左右及び上下方向を定義する。
本発明の実施例に係る端子保護カバー１は、車両等に搭載される電気接続箱１００に取り付けされる端子付き電線１４０の屈曲板状端子１４１を保護するものである。電気接続箱１００は、箱本体１１０の上部がアッパーカバー１２０で覆われ、下部がロアカバー１３０で覆われるようになっている。
【００２１】
まず、箱本体１１０について説明する。
箱本体１１０は、コネクタ、リレー、ヒューズ等の電気部品１１１ａが内部に収容され、電気接続箱１００の主な収容部を構成する箱である。
この箱本体１１０は、絶縁性の合成樹脂からなり、筒状の外壁によって外郭が形成されてなり、電気部品１１１ａが装着されたブロック状のカセットブロック１１１が内部に区画されて収容されるように仕切り壁１１０ａが設けられている。
【００２２】
また、箱本体１１０は、上端から下端まで直線状に延びるように箱外面１１０ｂに形成されてなる箱側溝部１１０ｃを有し、箱側溝部１１０ｃ内に端子付き電線１４０の屈曲板状端子１４１が収容されるようになっている。
屈曲板状端子１４１は、板状の導電部材が直角に屈曲されてなり、電線Ｗとの接続部となる電線接続部１４２に対して略直角に屈曲され、その先端が円弧状に形成されてなる先端側屈曲部１４３が不図示の相手端子との接続部となっている。この先端側屈曲部１４３には、相手端子を固定するためのネジが挿通されるネジ挿通孔１４４が設けられている。
【００２３】
端子付き電線１４０は、図７に示すように、屈曲板状端子１４１が箱側溝部１１０ｃ内に収容され、電線Ｗがロアカバー１３０の溝部１３１から導出され、不図示の外部電源に接続されるようになっている。
このような箱側溝部１１０ｃには、端子保護カバー１が箱側溝部１１０ｃの上端から下端に向けてスライド移動されて取り付けられるようになっている。
【００２４】
次に、アッパーカバー１２０について説明する。
アッパーカバー１２０は、下面が開口された箱形形状をなし、図１に示すように、下端縁部が箱本体１１０の上端縁部にかぶさるようにして箱本体１１０に組み付けられるようになっている。
【００２５】
次に、端子保護カバー１について説明する。
端子保護カバー１は、端子付き電線１４０の屈曲板状端子１４１が保持される端子保持部２０を有し、屈曲板状端子１４１を保護するためのカバーである。この端子保護カバー１は、屈曲板状端子１４１が収容される箱側溝部１１０ｃを塞ぐように箱本体１１０に取り付けられるようになっている。
【００２６】
端子保持部２０は、端子保護カバー１の本体部となる板状基部１０の箱本体１１０に対して取り付け側の面１１に設けられている。
この端子保持部２０は、一対の横方向ガタツキ防止壁部３０と、第一縦方向ガタツキ防止壁部４０と、第二縦方向ガタツキ防止壁部５０と、第三縦方向ガタツキ防止壁部６０とを有してなり、これらの壁よって屈曲板状端子１４１が保持されるようになっている。
【００２７】
一対の横方向ガタツキ防止壁部３０は、端子保護カバー１の取り付ける側の面１１に立設され、屈曲板状端子１４１が保持された場合、屈曲板状端子１４１の各側端縁面１４５に向かい合う面３１を含む壁である。
【００２８】
第一縦方向ガタツキ防止壁部４０は、一対の横方向ガタツキ防止壁部３０の立設方向先端部３２の間を橋渡す壁であり、屈曲板状端子１４１が保持された場合、屈曲板状端子１４１の先端側屈曲部１４３の内面１４３ａに向かい合う第一端縁面４１を含む壁である。
【００２９】
第二縦方向ガタツキ防止壁部５０は、一方の横方向ガタツキ防止壁部３０の立設方向先端部３２から他方の横方向ガタツキ防止壁部３０の立設方向先端部３２に向けて突出される一対の突出壁５１を有してなり、屈曲板状端子１４１が保持された場合、屈曲板状端子１４１の先端側屈曲部１４３の外面１４３ｂに向かい合う第二端縁面５１ａを含む壁である。
【００３０】
各突出壁５１は、横方向ガタツキ防止壁部３０の立設方向先端縁面３２ａと同じ側の面５２が、第二端縁面５１ａから上側の上縁面５１ｂまで、立設方向先端縁面３２ａに対して凹むように形成されてなる。
これにより、屈曲板状端子１４１を取り付ける際、各突出壁５１が先端側屈曲部１４３の先端部分に干渉しないようになっているので、第二端縁面５１ａと第一端縁面４１との間隔をできるだけ小さく設定することができる。
また、各面５２が、横方向ガタツキ防止壁部３０の立設方向先端部３２から突出方向に向かって漸次厚みが減少されるように傾斜されるようになっている。すなわち、各突出壁５１は、屈曲板状端子１４１に干渉されないように面５２が立設方向先端縁面３２ａに対して凹むように形成されつつ、横断面積を出来るだけ小さくしないようになっている。
【００３１】
第三縦方向ガタツキ防止壁部６０は、対となる第二縦方向ガタツキ防止部５０の間に立設方向先端縁面３２ａより凹むように取り付ける側の面１１に立設され、かつ屈曲板状端子１４１が保持された場合、屈曲板状端子１４１の先端側屈曲部１４３の外面１４３ｂに向かい合う第三端縁面６１を含む壁である。
この第三縦方向ガタツキ防止壁部６０は、立設方向先端縁面３２ａに対して一対の突出壁５１よりも凹むように形成されてなる。これにより、屈曲板状端子１４１を取り付ける際、第三縦方向ガタツキ防止壁部６０が先端側屈曲部１４３の先端部分に干渉しないようになっている。
【００３２】
また、端子保護カバー１は、屈曲板状端子１４１が取り付けられる場合、屈曲板状端子１４１を取り付け完了位置までガイドする取り付けガイド壁部７０と、電線Ｗの一部を固定する電線固定部８０とをさらに有してなる。
取り付けガイド壁部７０は、取り付け面側ガイド壁部７１と、ガタツキ防止壁側ガイド壁部７２とを有してなる。
【００３３】
取り付け面側ガイド壁部７１は、取り付ける側の面１１に並んで立設された一対のガイド壁であり、各取り付け面側ガイド壁部７１は、第一縦方向ガタツキ防止壁部４０の下方位置から第三縦方向ガタツキ防止壁部６０の下端位置まで直線的に延びる壁である。
各取り付け面側ガイド壁部７１は、図６に示すように、屈曲板状端子１４１を取り付け完了位置で屈曲板状端子１４１が、取り付ける側の面１１側から第一縦方向ガタツキ防止壁部４０に近づくように移動をガイドする段部が形成されている。
より具体的には、各取り付け面側ガイド壁部７１は、下端面側で、取り付ける側の面１１に対して段を形成する下端側ガイド段部７１ａと、上端側で第一縦方向ガタツキ防止壁部４０にさらに近づくように下端側ガイド段部７１ａに対して段を形成する上端側ガイド段部７１ｂを有してなる。
【００３４】
ガタツキ防止壁側ガイド壁部７２は、第一縦方向ガタツキ防止壁部４０の壁内面４０ａに設けられ、取り付ける側の面１１に平行な平行ガイド面７２ａと、平行ガイド面７２ａの上端から上方に向けて壁内面４０ａとの距離が小さくなるように傾斜された面である傾斜ガイド面７２ｂとを有してなる。
【００３５】
電線固定部８０は、板状基部１０の下端から下方に向けて片状に延出された部分であり、電線Ｗが嵌め込まれて保持されるようにその断面が電線Ｗの径に応じた半円状に形成されている。電線Ｗは、この電線固定部８０に不図示の粘着テープ等で固定されるようになっている。
【００３６】
ここで、図８および図９を用いて、端子保護カバー１に屈曲板状端子１４１を取り付ける手順について説明する。図８および図９は、端子保護カバー１に屈曲板状端子１４１を取り付ける手順を示した図である。
まず、作業者は、屈曲板状端子１４１の先端側屈曲部１４３が第一縦方向ガタツキ防止壁部４０の壁内面４０ａ側に入り込むように屈曲板状端子１４１の移動を開始する（図９（ａ）−図９（ｃ）参照）。ここで、屈曲板状端子１４１は、取り付けガイド壁部７０によってガイドされながら移動される。
【００３７】
その後、作業者は、屈曲板状端子１４１の先端側屈曲部１４３が第一縦方向ガタツキ防止壁部４０と第二縦方向ガタツキ防止壁部５０との間に入り込むように屈曲板状端子１４１を移動させる（図９（ｄ）、図９（ｅ）参照）。この際、先端側屈曲部１４３の先端部分が回転軌跡を描くようにして移動されながら第一縦方向ガタツキ防止壁部４０と第二縦方向ガタツキ防止壁部５０との間に入り込む。
ここで、先端側屈曲部１４３の先端部分が各突出壁５１の第二端縁面５１ａよりも上側に位置されながら移動されるものの、一対の横方向ガタツキ防止壁部３０の立設方向先端縁面３２ａと同じ側の面５２が、第二端縁面５１ａから上端縁面５１ｂまで、立設方向先端縁面３２ａに対して凹むように形成されてなるので、各突出壁５１が先端側屈曲部１４３に干渉されない。
【００３８】
より具体的には、屈曲板状端子１４１は一対の突出壁５１の近傍を移動される際、一対の突出壁５１の各面５２の間が相対的に短い位置となる面５２の深い凹み位置に、屈曲板状端子１４１の円弧状の先細り先端部分を近接させた後、一対の突出壁５１の各面５２の間が比較して長い位置となる面５２の浅い凹み位置に、屈曲板状端子１４１の円弧状の幅が拡大された部分を近接させるようにして移動される。すなわち、一対の突出壁５１の各面５２が傾斜されることによって、屈曲板状端子１４１の円弧状先端部分が干渉されないようになっている。
【００３９】
その後、作業者は、屈曲板状端子１４１の先端側屈曲部１４３が水平になり、その先端が第一縦方向ガタツキ防止壁部４０と突出壁５１との間から外方に出るように移動させることによって、屈曲板状端子１４１取り付け完了位置に配置する（図９（ｆ）参照）。これにより、屈曲板状端子１４１が、第一縦方向ガタツキ防止壁部４０、第二縦方向ガタツキ防止壁部５０、第三縦方向ガタツキ防止壁部６０、一対の横方向ガタツキ防止壁部３０によって囲われた位置に配置される。このため、屈曲板状端子１４１が、第一縦方向ガタツキ防止壁部４０、第二縦方向ガタツキ防止壁部５０、さらには第三縦方向ガタツキ防止壁部６０によって縦方向の移動が規制され、一対の横方向ガタツキ防止壁部３０によって横方向の移動が規制される。
【００４０】
なお、屈曲板状端子１４１が取り付け完了位置に配置された後、作業者は電線Ｗを電線固定部８０に粘着テープ等によって固定することによって、屈曲板状端子１４１を端子保護カバー１にさらに安定して固定させることができる。
【００４１】
本発明の実施例に係る端子保護カバー１は、屈曲板状端子１４１が第一縦方向ガタツキ防止壁部４０、第二縦方向ガタツキ防止壁部５０、一対の横方向ガタツキ防止壁部６０によって囲われた位置に先端側屈曲部１４３が配置されるようにして取り付けられ、しかも第二縦方向ガタツキ防止壁部５０の立設方向先端縁面３２ａと同じ側の面５２が、立設方向先端縁面３２ａに対して凹むように形成されているので、屈曲板状端子１４１が取り付けられる際、第二縦方向ガタツキ防止壁部５０が干渉しないように、第二端縁面５１ａと第一端縁面４１との間隔をできるだけ小さく設定することができるので、屈曲板状端子１４１が容易に取り付け可能であり、かつ屈曲板状端子１４１のガタツキを防止することができる。
【００４２】
また、本発明の実施例に係る端子保護カバー１は、各突出壁５１の立設方向先端縁面３２ａと同じ側の面５２が、突出方向に向かって漸次厚みが減少されるように傾斜された面であるので、屈曲板状端子１４１の円弧状の先端部分が干渉されないように各突出壁の横断面積をできるだけ大きく設定できるので、各突出壁５１の強度を増すことができるとともに、屈曲板状端子１４１の先端側屈曲部１４３の外面に向かい合う第二端縁面５１ａが大きく設定されることによって、屈曲板状端子１４１のガタツキ防止効果を高めることができる。
【００４３】
また、本発明の実施例に係る端子保護カバー１は、対となる突出壁５１の間に屈曲板状端子１４１に干渉しないように設けられた第三縦方向ガタツキ防止壁部６０によって、屈曲板状端子１４１のガタツキ防止効果をさらに高めることができる。
【００４４】
また、本発明の実施例に係る端子保護カバー１は、取り付けガイド壁部７０によって、屈曲板状端子１４１を取り付け完了位置までガイドすることができるので、屈曲板状端子１４１を容易に取り付けることができる。
【００４５】
また、本発明の実施例に係る電気接続箱１００は、端子保護カバー１によって屈曲板状端子１４１が保護されるので、屈曲板状端子１４１が容易に取り付け可能であり、かつ屈曲板状端子１４１のガタツキを防止することができる。
【００４６】
（変形例１）
次に、図１０を用いて本発明の実施例の端子保護カバー１の変形例１について説明する。図１０は、本発明の実施例の変形例１の端子保護カバー２の端子保持部２００周辺を拡大した斜視図である。
この変形例１の端子保護カバー２は、端子保持部２０に代わって端子保持部２００を有してなる点で実施例の端子保護カバー１と異なる。
なお、その他の構成は実施例と同様であり、実施例と同一構成部分には同一符号を付している。
【００４７】
端子保持部２００は、第一縦方向ガタツキ防止壁部４０と、第二縦方向ガタツキ防止壁部５０と、を有してなり、第三縦方向ガタツキ防止壁部６０を有しない。
【００４８】
この変形例１の端子保護カバー２は、実施例の端子保護カバー１と同様に、屈曲板状端子１４１が容易に取り付け可能であり、かつ屈曲板状端子１４１のガタツキを防止することができる。
【００４９】
（変形例２）
次に、図１１を用いて本発明の実施例の端子保護カバー１の変形例２について説明する。図１１は、本発明の実施例の変形例２の端子保護カバー３の端子保持部３００周辺を拡大した斜視図である。
この変形例２の端子保護カバー３は、端子保持部２０に代わって端子保持部３００を有してなる点で実施例の端子保護カバー１と異なる。
なお、その他の構成は実施例と同様であり、実施例と同一構成部分には同一符号を付している。
【００５０】
端子保持部３００は、第二縦方向ガタツキ防止壁部３１０が、一対の突出壁３１１を有してなり、各突出壁３１１の横方向ガタツキ防止壁部３０の立設方向先端縁面３２ａと同じ側の面３２０が、突出方向に向かって漸次厚みが減少されるように曲面をなしている。
【００５１】
この変形例２の端子保護カバー３は、実施例の端子保護カバー１と同様の効果を得ることができる。
【００５２】
（変形例３）
次に、図１２を用いて本発明の実施例の端子保護カバー１の変形例３について説明する。図１２は、本発明の実施例の変形例３の端子保護カバー４の端子保持部４００周辺を拡大した斜視図である。
この変形例３の端子保護カバー４は、端子保持部２０に代わって端子保持部４００を有してなる点で実施例の端子保護カバー１と異なる。
なお、その他の構成は実施例と同様であり、実施例と同一構成部分には同一符号を付している。
【００５３】
端子保持部４００は、第二縦方向ガタツキ防止壁部４１０が、第一縦方向ガタツキ防止壁部４０に対して上側位置で一対の横方向ガタツキ防止壁部３０の立設方向先端部３２の間を橋渡す壁であり、横方向ガタツキ防止壁部３０の立設方向先端縁面３２ａと同じ側の面４２０が、立設方向先端縁面３２ａに対して凹むように形成されてなる。
【００５４】
この変形例３の端子保護カバー４は、実施例の端子保護カバー１と同様の効果を得ることができる。
【００５５】
（変形例４）
次に、図１３を用いて本発明の実施例の端子保護カバー１の変形例３について説明する。図１３は、本発明の実施例の変形例４の端子保護カバー５の端子保持部５００周辺を拡大した斜視図である。
この変形例４の端子保護カバー５は、端子保持部２０に代わって端子保持部５００を有してなる点で実施例の端子保護カバー１と異なる。
なお、その他の構成は実施例と同様であり、実施例と同一構成部分には同一符号を付している。
【００５６】
端子保持部５００は、第二縦方向ガタツキ防止壁部５１０の各突出壁５１１の横方向ガタツキ防止壁部３０の立設方向先端縁面３２ａと同じ側の面５２０が、第二端縁面５１１ａから上側の所定の位置まで、立設方向先端縁面３２ａに対して凹むように形成されてなる。
【００５７】
この変形例４の端子保護カバー５は、実施例の端子保護カバー１と同様の効果を得ることができる。
【００５８】
（変形例５）
次に、図１４を用いて本発明の実施例の端子保護カバー１の変形例５について説明する。図１４は、本発明の実施例の変形例５の端子保護カバー６の端子保持部６００周辺を拡大した斜視図である。
この変形例５の端子保護カバー６は、端子保持部２０に代わって端子保持部６００を有してなる点で実施例の端子保護カバー１と異なる。
なお、その他の構成は実施例と同様であり、実施例と同一構成部分には同一符号を付している。
【００５９】
端子保持部６００は、第二縦方向ガタツキ防止壁部６１０の各突出壁６１１の横方向ガタツキ防止壁部３０の立設方向先端縁面３２ａと同じ側の面６２０が、立設方向先端縁面３２ａに対して段差状に凹むように形成されてなる。
【００６０】
この変形例５の端子保護カバー６は、各突出壁６１１の横断面積が小さくなってしまうものの、屈曲板状端子１４１に干渉されないように面６２０が立設方向先端縁面３２ａに対して凹むように形成されているので、実施例の端子保護カバー１と同様に屈曲板状端子１４１が容易に取り付け可能であり、かつ屈曲板状端子１４１のガタツキを防止することができる。また、面６２０が、立設方向先端縁面３２ａに対して段差状に凹むことによって、屈曲板状端子１４１の先端形状が円弧状でない直線形状であっても、干渉され難い。
【００６１】
なお、本発明の実施例に係る端子保護カバー１，２，３，４，５，６は、電気接続箱１００に組み込まれるものを例示したが、これに限らず、その他の電気接続ユニットに組み込まれるものであってもよい。
【００６２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６３】
１、２、３、４、５、６  端子保護カバー
１０        板状基部
１１        取り付け側の面
２０、２００、３００、４００、５００、６００  端子保持部
３０        横方向ガタツキ防止壁部
３１        面
３２        立設方向先端部
３２ａ      立設方向先端縁面
４０        第一縦方向ガタツキ防止壁部
４０ａ      壁内面
４１        第一端縁面
５０、３１０、４１０、５１０、６１０  第二縦方向ガタツキ防止壁部
５１、３１１、５１１、６１１  突出壁
５１ａ、５１１ａ  第二端縁面
５１ｂ      上端縁面
５２、３２０、４２０、５２０、６２０  面
６０        第三縦方向ガタツキ防止壁部
６１        第三端縁面
７０        取り付けガイド壁部
７１        取り付け面側ガイド壁部
７１ａ      下端側ガイド段部
７１ｂ      上端側ガイド段部
７２        ガタツキ防止壁側ガイド壁部
７２ａ      平行ガイド面
７２ｂ      傾斜ガイド面
８０        電線固定部
１００      電気接続箱
１１０      箱本体
１１０ａ    仕切り壁
１１０ｂ    箱外面
１１０ｃ    箱側溝部
１１１      カセットブロック
１１１ａ    電気部品
１２０      アッパーカバー
１３０      ロアカバー
１３１      溝部
１４０      端子付き電線
１４１      屈曲板状端子
１４２      電線接続部
１４３      先端側屈曲部
１４３ａ    内面
１４３ｂ    外面
１４４      ネジ挿通孔
１４５      側端縁面
Ｗ          電線
【図１】
0005910942.tif 000002
【図２】
0005910942.tif 000003
【図３】
0005910942.tif 000004
【図４】
0005910942.tif 000005
【図５】
0005910942.tif 000006
【図６】
0005910942.tif 000007
【図７】
0005910942.tif 000008
【図８】
0005910942.tif 000009
【図９】
0005910942.tif 000010
【図１０】
0005910942.tif 000011
【図１１】
0005910942.tif 000012
【図１２】
0005910942.tif 000013
【図１３】
0005910942.tif 000014
【図１４】
0005910942.tif 000015
【図１５】
0005910942.tif 000016
【図１６】
0005910942.tif 000017